(57)【要約】【課題】それ自体の変形を抑制できるとともに、釣竿との密着性を向上させることができる釣竿プロテクタを提供する。【解決手段】本発明に係る釣竿プロテクタ１０は、折り畳み可能なベース基材２と、ベース基材２よりも柔軟な材料により形成されてベース基材２の表面の所定位置に固着されるとともに、釣竿を覆って保護するための保護材１２，１４，１６とを備える。保護材１２，１４，１６は、該保護材上に釣竿Ｒを載置した状態でベース基材２を折り畳むことにより少なくとも互いに直交する３つの方向から釣竿と密着するようにベース基材２上に配置される。【選択図】  図４
2017175981.tif 000002
【特許請求の範囲】
【請求項１】
折り畳み可能なベース基材と、
前記ベース基材よりも柔軟な材料により形成されて前記ベース基材の表面の所定位置に固着されるとともに、釣竿を覆って保護するための保護材と、
を備え、
前記保護材は、該保護材上に釣竿を載置した状態で前記ベース基材を折り畳むことにより釣竿と密着するように前記ベース基材上に配置されることを特徴とする釣竿プロテクタ。
【請求項２】
前記保護材は、該保護材上に釣竿を載置した状態で前記ベース基材を折り畳むことにより少なくとも互いに直交する３つの方向から釣竿と密着することを特徴とする請求項１に記載の釣竿プロテクタ。
【請求項３】
前記保護材は、前記ベース基材の折り畳み方向に間隔を開けて複数配置されることを特徴とする請求項１に記載の釣竿プロテクタ。
【請求項４】
前記ベース基材は、完全に折り畳まれた状態で前記保護材を全周にわたって覆うことを特徴とする請求項１から３のいずれか一項に記載の釣竿プロテクタ。
【請求項５】
前記ベース基材は、その折り畳みを可能にするための複数の折り目を有し、前記ベース基材上には、前記折り目に沿って互いに平行に配置される少なくとも３つの同じ厚みを有する保護材が固着されることを特徴とする請求項１から４のいずれか一項に記載の釣竿プロテクタ。
【請求項６】
前記保護材は、前記ベース基材の折り畳み時に互いに上下に重なり合うように前記ベース基材上に固着されることを特徴とする請求項５に記載の釣竿プロテクタ。
【請求項７】
前記ベース基材がダンボールから形成され、前記保護材が発泡材から形成されることを特徴とする請求項１から６のいずれか一項に記載の釣竿プロテクタ。
【請求項８】
前記保護材は、前記ベース基材の片側に所定の空間を残して固着されることを特徴とする請求項１から７のいずれか一項に記載の釣竿プロテクタ。
【請求項９】
前記ベース基材をその折り畳み状態に保持するための保持手段を更に備えることを特徴とする請求項１から８のいずれか一項に記載の釣竿プロテクタ。
【請求項１０】
前記ベース基材が多角形状に折り畳まれることを特徴とする請求項１から９のいずれか一項に記載の釣竿プロテクタ。
【発明の詳細な説明】
【技術分野】
【０００１】
本発明は、釣竿を保護するための釣竿プロテクタに関し、特に、釣竿梱包時の輸送等に伴う衝撃から釣竿の穂先の先端側を保護するのに適した釣竿プロテクタに関する。
【背景技術】
【０００２】
一般に、釣竿は、製造工場で製造された後、例えばプラスチック製の透明なケースに収納されて梱包された状態で出荷、輸送され、ユーザの元に配送され或いは小売店に陳列される。また、釣竿は、このように透明ケースに収納された梱包状態で輸送される場合、輸送中の衝撃等に起因して、ケース内で大きく或いは小刻みに動く場合がある。そのため、そのようなケース内での釣竿の動きによって釣竿が破損しないように、従来では、釣竿を動かないように保持するクッション材のスペーサをケース内に設けたり（例えば、特許文献１参照）、ケース内で釣竿の安定した姿勢を確保する札体をケースと釣竿との間に介在させる（例えば、特許文献２参照）ことも行なわれている。
【０００３】
しかしながら、このようなスペーサや札体は、ケース内での釣竿の動きを確実に抑えるものではなく、特に、細くて繊細な穂先、とりわけ釣竿の調子等を追及して細径化が進んだ中実の穂先などにあっては、衝撃に弱く、ケース内で僅かに動いた場合でも局所的な負荷がかかって折れ曲がる場合があり、そのため、釣竿梱包時の輸送等においては、穂先を積極的に保護することが必要になってくる。
【０００４】
穂先を保護するための保護部材としては、例えば図８及び図９に示されるような形態のものも従来から知られている。これらの図に示されるように、この穂先保護部材１００は、全体が発泡材、例えばウレタンによって形成されており、穂先Ｒの所定の部位を覆うように、例えば穂先Ｒの先端から所定の長さにわたって穂先Ｒを覆い包むように取着される。
【０００５】
具体的には、図８に示されるように保護部材１００の長手方向に沿って設けられた切り欠き部分（カット部分）１００ａに穂先Ｒの所定部位を挟み込み、その後、穂先Ｒをその周囲から包み込むように保護部材１００を折り畳んで図９に示されるような保護状態にし、その状態で保護部材１００の数か所をセロテープ（登録商標）１０２で巻き止める（図では、巻き止め部位が２か所であるが、一般的には、穂先Ｒの先端部位、穂先Ｒの先端から保護部材１００の全長のほぼ１／３に当たる部位、穂先Ｒの先端から保護部材１００の全長のほぼ２／３に当たる部位の３か所がセロテープ（登録商標）１０２で巻き止められる場合が多い）ことにより、保護部材１００と釣糸ガイドｇとの密着を図り、この密着性を利用して保護部材１００の穂先Ｒ先端方向へのずれを防止する。このようにして保護部材１００によって穂先Ｒの先端側部位を保護すれば、梱包用のケース内部で穂先Ｒが動いた場合でも、穂先Ｒがケース内面と直接にぶつかることを回避でき、穂先Ｒの破損を防止できる。
【先行技術文献】
【特許文献】
【０００６】
【特許文献１】特開２００４−０３３０９６号
【特許文献２】特開２０００−０６０４００号
【発明の概要】
【発明が解決しようとする課題】
【０００７】
しかしながら、図８及び図９に示されるような穂先保護部材においては、その全体が柔軟な発泡材によって形成されているため、梱包用ケース内で穂先（釣竿）が動いて大きな衝撃が加わったり、重量が重い釣竿に用いられた場合には、保護部材の全体が湾曲（変形）して、その内部の穂先に衝撃が伝わり、穂先が破損する場合もある。
【０００８】
また、図８及び図９に示されるような穂先保護部材では、穂先と保護部材とがセロテープ（登録商標）によって部分的に固定されているだけであるため、保護部材と釣糸ガイドとの密着性が全体的に弱く（特にセロテープ（登録商標）で固定されていない部位では密着性が低い）、したがって、梱包用ケース内で穂先（釣竿）が動いて大きな衝撃が加わったり、重量が重い釣竿に用いられた場合には、保護部材内で穂先が動き（ずれる）、それに起因して場合により穂先が破損する可能性もある。
【０００９】
本発明は、前述した問題に着目してなされたものであり、それ自体の変形を抑制できるとともに、釣竿との密着性を向上させることができる釣竿プロテクタを提供することを目的とする。
【課題を解決するための手段】
【００１０】
前述した目的を達成するために、本発明の釣竿プロテクタは、折り畳み可能なベース基材と、前記ベース基材よりも柔軟な材料により形成されて前記ベース基材の表面の所定位置に固着されるとともに、釣竿を覆って保護するための保護材とを備え、前記保護材は、該保護材上に釣竿を載置した状態で前記ベース基材を折り畳むことにより釣竿と密着するように前記ベース基材上に配置されることを特徴とする。
【００１１】
このように、本発明の釣竿プロテクタは、その全体が柔軟な素材により構成されるのではなく、相対的に硬質なベース基材と相対的に軟質な保護材とを組み合わせることを特徴とする。つまり、釣竿を覆って保護する相対的に軟質な保護材を相対的に硬質なベース基材によって外側から支持することにより、例えば梱包用ケース内で釣竿が動いて大きな衝撃が加わったり、重量が重い釣竿に用いられた場合でも、プロテクタ自体の変形がベース基材によって抑制されて、保護材により包み込まれるように覆われる内側の釣竿に衝撃が伝わることを防止でき、釣竿の破損を防止できる。
【００１２】
また、本発明の釣竿プロテクタは、ベース基材を折り畳んで釣竿を保護材によって保護し、その保護状態を例えば保持手段等によって保持すれば、軟質な保護材が硬質なベース基材により外側から全体的に押圧される状態となるため、図８及び図９に示されるような全体が発泡材のみにより形成されてセロテープ（登録商標）により部分的に固定されただけの保護部材と比べて、保護材と釣竿との密着性が格段に向上される。特に釣竿が釣糸ガイドを含む場合には、釣糸ガイドが保護材に食い込むような密着度を得ることができ、釣竿を保護材に対して確実に固定できる（プロテクタ内（保護材内）で釣竿がずれない）。
【００１３】
また、本発明の釣竿プロテクタでは、保護材上に釣竿を載置した状態でベース基材を折り畳むことにより保護材が少なくとも互いに直交する３つの方向から釣竿と密着するようになっていることが好ましく、そのようにすると、釣竿をプロテクタ（保護材）のほぼ中央に常に安定して保持することが容易となり、釣竿の全周を保護材で確実に覆うことが可能となる。
【００１４】
このような本発明のプロテクタは、保護材の上に釣竿を載置してベース基材を折り畳むだけで釣竿に装着できるため、装着作業が簡素化される。また、本発明のプロテクタは、様々な釣竿の竿杆を保護するために使用できるが、特に、衝撃に弱い細くて繊細な穂先、とりわけ釣竿の調子等を追及して細径化が進んだ中実の穂先を釣竿梱包時の輸送等において保護するのに適している。
【００１５】
なお、上記構成において、ベース基材は、完全に折り畳まれた状態で保護材を全周にわたって覆うことが好ましい。このようにすれば、ベース基材により保護材をその全周にわたって支持することができ、したがって、プロテクタ自体の変形が全周にわたって抑制されるとともに、釣竿と保護材との密着力を全周にわたって均一に維持することが可能になる。
【００１６】
また、上記構成において、ベース基材は、その折り畳みを可能にするための複数の折り目を有することが好ましく、また、ベース基材上には、折り目に沿って互いに平行に配置される少なくとも３つの同じ厚みを有する保護材が固着されることが好ましい。このような構成によれば、折り目によってベース基材の折り畳みが容易になるとともに、折り畳み動作に伴って順次に保護材が釣竿を中央に寄せつつ３つの方向から略均一な密着力で覆うように保護できるため、釣竿に対するプロテクタの装着作業を効果的に且つ効率的に行なうことが可能になる。
【００１７】
また、上記構成において、保護材は、ベース基材の折り畳み時に互いに上下に重なり合うようにベース基材上に固着されることが好ましい。このようにすれば、保護材同士の間に不要な隙間を形成することなく、釣竿と保護材との密着性を高めることができるとともに、釣竿を前記隙間に落とし込むことなく各保護材同士の突合せ面間で釣竿を確実に保持できる。
【００１８】
また、上記構成では、ベース基材がダンボールから形成され、保護材が発泡材から形成されてもよい。このような素材を用いることにより、釣竿プロテクタを安価に製造できる。
【００１９】
また、上記構成において、保護材は、ベース基材の片側に所定の空間を残して固着されることが好ましい。このような形態で保護材をベース基材上に配置すれば、釣竿が保護材内で万が一ずれたとしても、そのずれ分を前記空間内で逃がして、釣竿がプロテクタの外側に突出すること、したがって、その突出した竿杆部位が衝撃で破損することを回避できる。
【００２０】
また、上記構成では、ベース基材をその折り畳み状態に保持するための保持手段が設けられることが好ましい。このような保持手段を設ければ、ベース基材の折り畳み状態を確実に維持することができ、したがって、軟質な保護材が硬質なベース基材により外側から全体的に押圧される状態を持続的に維持でき、前述したプロテクタの密着作用及び変形抑制作用を確実に実現できる。なお、このような保持手段としては、ベース基材に取り付けられるセロハンテープや面ファスナーなどを挙げることができる。
【００２１】
また、上記構成では、ベース基材が多角形状に折り畳まれることが好ましい。このようにベース基材が多角形状に折り畳まれれば、多角形の辺の数に対応する数の方向から保護材をベース基材により支持でき、前述したプロテクタの密着作用及び変形抑制作用を向上させることができる。
【発明の効果】
【００２２】
本発明によれば、それ自体の変形を抑制できるとともに、釣竿との密着性を向上させることができる釣竿プロテクタが得られるようになる。
【図面の簡単な説明】
【００２３】
【図１】本発明の一実施形態に係る釣竿プロテクタが装着された釣竿、及び、この釣竿と釣竿プロテクタとのセットを梱包用の透明ケースに収納する一例を概略的に示す斜視図である。
【図２】本発明の一実施形態に係る釣竿プロテクタの展開状態を示す平面図である。
【図３】図２の展開状態から釣竿プロテクタを部分的に折り畳んだ状態を示す斜視図である。
【図４】図３の折り畳み状態から更に釣竿プロテクタを折り畳んだ状態を示す斜視図である。
【図５】図４の折り畳み状態から更に釣竿プロテクタを折り畳んだ状態を示す斜視図である。
【図６】図５の折り畳み状態から更に釣竿プロテクタを折り畳んだ状態を示す斜視図である。
【図７】釣竿プロテクタを完全に折り畳んでその折り畳み状態を保持手段により保持した状態を示す斜視図である。
【図８】従来の穂先保護部材上に釣竿の穂先を載置した状態を示す斜視図である。
【図９】図８の状態から穂先を包み込むように穂先保護部材を折り畳んでセロテープ（登録商標）により巻き止めた状態を示す斜視図である。
【発明を実施するための形態】
【００２４】
以下、図１〜図７を参照して、本発明の一実施形態に係る釣竿プロテクタについて詳しく説明する。  
図１に示されるように、本実施形態の釣竿プロテクタ１０は、釣竿、とりわけ穂先竿（以下、単に穂先という）Ｒを保護するために穂先Ｒにその周囲を覆うように装着され、その装着状態で例えば梱包用の透明ケース６０内に収容されることにより、釣竿梱包時の輸送等に伴う衝撃から穂先Ｒの先端側を保護する。
【００２５】
この場合、釣竿プロテクタ１０は、穂先Ｒの先端から所定の長さ（例えば２０ｃｍ（穂先の全長の１／１０〜１／２程度）までの範囲）にわたって穂先Ｒの先端側を覆うようになっている。また、釣竿プロテクタ１０は、このような梱包時に使用される以外に、釣行時に釣竿を竿袋に入れて持ち歩く際に釣竿に装着して使用してもよく、その使用形態は特に限定されない。また、本実施形態では、穂先Ｒを保護するために釣竿プロテクタ１０が使用されるが、穂先以外の竿杆の保護のために釣竿プロテクタ１０を使用することもできる。
【００２６】
図２には、釣竿プロテクタ１０が完全に展開された状態で示されている。図示のように、釣竿プロテクタ１０は、折り畳み可能なベース基材２と、ベース基材２の表面の所定位置に固着される少なくとも１つの保護材１２，１４，１６とを有する。特に、本実施形態では、ベース基材２上に３つの保護材１２，１４，１６が固着される。
【００２７】
保護材１２，１４，１６は、柔軟な素材、例えば発泡材、具体的には、例えばポリエチレンやポリウレタン等によって直方体形状に形成され、穂先Ｒの先端側を覆って保護するようになっている。また、保護材１２，１４，１６を外側から覆って支持するベース基材２は、保護材１２，１４，１６よりも硬質な素材、例えば、ダンボールやプラスチック板等によって矩形を成すシート板状に形成される（場合により、薄い金属板であってもよい）。
【００２８】
また、本実施形態において、保護材１２，１４，１６は、該保護材上に穂先Ｒを載置した状態（図２の状態）でベース基材２を折り畳むことにより少なくとも互いに直交する３つの方向Ａ，Ｂ，Ｃ（図７参照）から穂先Ｒと密着するようにベース基材２上に配置されている。以下、これについて詳しく説明する。
【００２９】
具体的には、図２に示されるように、ベース基材２は、その折り畳みを可能にするための複数の折り目、本実施形態では４つの折り目Ｆ１，Ｆ２，Ｆ３，Ｆ４を有し、これらの４つの折り目Ｆ１，Ｆ２，Ｆ３，Ｆ４によって５つのストリップ２ａ，２ｂ，２ｃ，２ｄ，２ｅに画定される。すなわち、ベース基材２の長手方向に沿う一方側の端縁と第１の折り目Ｆ１とによって第１のストリップ２ａが画定され、第１の折り目Ｆ１と第２の折り目Ｆ２とによって第２のストリップ２ｂが画定され、第２の折り目Ｆ２と第３の折り目Ｆ３とによって第３のストリップ２ｃが画定され、第３の折り目Ｆ３と第４の折り目Ｆ４とによって第４のストリップ２ｄが画定され、ベース基材２の長手方向に沿う他方側の端縁と第４の折り目Ｆ４とによって第５のストリップ２ｅが画定される。
【００３０】
また、このように画定されたベース基材２上には、第１の保護材１２が第５のストリップ２ｅ上に位置して固着される。この場合、第１の保護材１２は、ベース基材２の片側に所定の空間Ｓを残して（図２では、ベース基材２の幅方向に沿う左端縁から距離Ｓを隔てて）、その厚さ寸法Ｔ（図３参照）に対応する距離Ｌ１だけ第４の折り目Ｆ４から離間された状態で、その長手方向に沿う端縁がベース基材２の長手方向に沿う他方側の端縁に位置合わせされて第４の折り目Ｆ４に沿って平行に延びている（配置されている）。
【００３１】
また、第１の保護材１２と同じ厚さ寸法Ｔ及び同じ幅寸法Ｗを有する第２の保護材１４は、ベース基材２の第３のストリップ２ｃ上に固着される。この場合、第２の保護材１４は、ベース基材２の片側に所定の空間Ｓを残して（図２では、ベース基材２の幅方向に沿う左端縁から距離Ｓを隔てて）、その厚さ寸法Ｔに対応する距離Ｌ１だけ第３の折り目Ｆ３から離間された状態で、その長手方向に沿う端縁が第２の折り目Ｆ２に位置合わせされて折り目Ｆ２，Ｆ３に沿って平行に延びている（配置されている）。
【００３２】
また、第１の保護材１２と同じ厚さ寸法Ｔ及び同じ幅寸法Ｗを有する第３の保護材１６は、ベース基材２の第４のストリップ２ｄ上に固着される。この場合、第３の保護材１６は、ベース基材２の片側に所定の空間Ｓを残して（図２では、ベース基材２の幅方向に沿う左端縁から距離Ｓを隔てて）、その長手方向に沿う一方の端縁が第３の折り目Ｆ３に位置合わせされるとともにその長手方向に沿う他方の端縁が第４の折り目Ｆ４に位置合わせされた状態で、これらの折り目Ｆ３，Ｆ４に沿って平行に延びている（配置されている）。
【００３３】
つまり、保護材１２，１４，１６は、ベース基材２の折り畳み方向に間隔を開けて配置されており、また、このような配置形態では、第１のストリップ２ａの幅寸法（Ｌ３）、第３のストリップ２ｃの幅寸法（Ｗ＋Ｌ１）、及び、第５のストリップ２ｅの幅寸法（Ｗ＋Ｌ１）はそれぞれ、互いに等しいとともに、保護材１２，１４，１６の幅寸法Ｗと保護材１２，１４，１６の厚さ寸法Ｔとの和に等しく、また、第２のストリップ２ｂの幅寸法（Ｌ２）及び第４のストリップ３ｄの幅寸法（Ｗ）はそれぞれ、互いに等しいとともに、保護材１２，１４，１６の幅寸法Ｗに等しい。なお、本実施形態では、保護材１２，１４，１６の幅寸法Ｗが厚さ寸法Ｔのほぼ２倍に設定されている。
【００３４】
次に、このようにして構成される釣竿プロテクタ１０を穂先Ｒの先端側に装着する方法の一例について図３〜図７を参照して説明する。
【００３５】
まず、図２に示されるように釣竿プロテクタ１０を完全に展開した状態で、第１及び第２の保護材１２，１４間に位置される第３の保護材１６上のほぼ中央に穂先Ｒの先端側を載置する。そして、その状態で、例えば図３に示されるように第４の折り目Ｆ４を境にして第５のストリップ２ｅを内側に折り畳む。このとき、前述した寸法関係に起因して、第３の保護材１６上に第１の保護材１２が第３の保護材１６の幅寸法Ｗのほぼ半分を占めるように重なり合う。
【００３６】
続いて、この状態から、今度は図４に示されるように第３の折り目Ｆ３を境にして第３のストリップ２ｃを内側に折り畳む。このとき、前述した寸法関係に起因して、図５に示されるように、第３の保護材１６上に第２の保護材１４が第３の保護材１６の幅寸法Ｗの残りのほぼ半分を占めるように重なり合う。その際、第３の保護材１６上に載置される穂先Ｒは、第３の保護材１６（プロテクタ１０）の中央に寄せられように心合わせされる。
【００３７】
その後、図６に示されるように第２の折り目Ｆ２及び第１の折り目Ｆ１を境にして順次に第２及び第１のストリップ２ｂ，２ａを内側に折り畳み、最終的に図７に示されるようにベース基材２を完全に折り畳む。この図７に示される完全折り畳み状態では、ベース基材２が多角形状（本実施形態では、断面が長方形の直方体状）に折り畳まれるとともに、ベース基材２が保護材１２，１４，１６を全周にわたって完全に覆う。また、この状態で、保護材１２，１４，１６は、互いに直交する３つの方向Ａ，Ｂ，Ｃから穂先Ｒと密着するようになる。
【００３８】
なお、図７に示される完全折り畳み状態では、保持手段５０によってベース基材２の折り畳み状態を保持することができる。そのような保持手段５０としては、例えば第１のストリップ２ａの長手方向に沿う端縁に所定の間隔を隔てて取着されてストリップ同士を接続する複数のテープ、面ファスナー等を挙げることができる。また、ゴムバンド等をベース基材２の外側から巻き付けて折り畳み状態を保持するだけでも構わない。
【００３９】
以上説明したように、本実施形態の釣竿プロテクタ１０は、その全体が柔軟な素材により構成されるのではなく、相対的に硬質なベース基材２と相対的に軟質な保護材１２，１４，１６とを組み合わせることを特徴としている。つまり、穂先Ｒを覆って保護する相対的に軟質な保護材１２，１４，１６を相対的に硬質なベース基材２によって外側から支持することにより、例えば梱包用ケース内で穂先が動いて大きな衝撃が加わったり、重量が重い釣竿と共に用いられた場合でも、プロテクタ１０自体の変形がベース基材２によって抑制されて、保護材１２，１４，１６により包み込まれるように覆われる内側の穂先Ｒに衝撃が伝わることを防止でき、穂先Ｒの破損を防止できる。
【００４０】
また、本実施形態の釣竿プロテクタ１０は、ベース基材２を折り畳んで穂先Ｒを保護材１２，１４，１６によって保護し、その保護状態を保持手段５０によって保持すれば、軟質な保護材１２，１４，１６が硬質なベース基材２により外側から全体的に押圧される状態となるため、図８及び図９に示されるような全体が発泡材のみにより形成されてセロテープ（登録商標）により部分的に固定されただけの保護部材１００と比べて、保護材１２，１４，１６と穂先Ｒとの密着性が格段に向上される。特に本実施形態のように穂先Ｒが釣糸ガイドｇを含む場合には、釣糸ガイドｇが保護材１２，１４，１６に食い込むような密着度を得ることができ、穂先Ｒを保護材１２，１４，１６に対して確実に固定できる（プロテクタ１０内（保護材１２，１４，１６内）で穂先Ｒがずれない）。
【００４１】
また、本実施形態の釣竿プロテクタ１０では、保護材１２，１４，１６上に穂先Ｒを載置した状態でベース基材２を折り畳むことにより保護材１２，１４，１６が少なくとも互いに直交する３つの方向Ａ，Ｂ，Ｃから穂先Ｒと密着するようになっているため、穂先Ｒをプロテクタ１０（保護材１２，１４，１６）のほぼ中央に常に安定して保持することが容易となり、穂先Ｒの全周を保護材１２，１４，１６で確実に覆うことが可能となる。
【００４２】
また、本実施形態のプロテクタ１０は、保護材１２，１４，１６の上に穂先Ｒを載置してベース基材２を折り畳むだけで穂先Ｒに装着できるため、装着作業が簡素化される。
【００４３】
また、本実施形態によれば、ベース基材２が完全に折り畳まれた状態で保護材１２，１４，１６を全周にわたって覆うため、ベース基材２により保護材１２，１４，１６をその全周にわたって支持することができ、したがって、プロテクタ１０自体の変形が全周にわたって抑制されるとともに、穂先Ｒと保護材１２，１４，１６との密着力を全周にわたって均一に維持することが可能になる。
【００４４】
また、本実施形態において、ベース基材２は、その折り畳みを可能にするための複数の折り目Ｆ１〜Ｆ４を有するとともに、ベース基材２上には、折り目Ｆ１〜Ｆ４に沿って互いに平行に配置される３つの同じ厚み寸法Ｔを有する保護材１２，１４，１６が固着されるため、折り目Ｆ１〜Ｆ４によってベース基材２の折り畳みが容易になるとともに、折り畳み動作に伴って順次に保護材１２，１４，１６が穂先Ｒを中央に寄せつつ３つの方向Ａ，Ｂ，Ｃから略均一な密着力で覆うように保護でき、穂先Ｒに対するプロテクタ１０の装着作業を効果的に且つ効率的に行なうことが可能になる。
【００４５】
また、本実施形態において、保護材１２，１４，１６は、ベース基材２の折り畳み時に互いに上下に重なり合うようにベース基材２上に固着されているため、保護材１２，１４，１６同士の間に不要な隙間を形成することなく、穂先Ｒと保護材１２，１４，１６との密着性を高めることができるとともに、穂先Ｒを前記隙間に落とし込むことなく各保護材１２，１４，１６同士の突合せ面間で穂先Ｒを確実に保持できる。
【００４６】
また、本実施形態において、保護材１２，１４，１６は、ベース基材２の片側に所定の空間Ｓを残して固着されるため、穂先Ｒが保護材１２，１４，１６内で万が一ずれたとしても、そのずれ分を前記空間Ｓ内で逃がして、穂先Ｒがプロテクタ１０の外側に突出すること、したがって、その突出した穂先部位が衝撃で破損することを回避できる。
【００４７】
また、本実施形態では、ベース基材２が多角形状に折り畳まれるため、多角形の辺の数に対応する数の方向から保護材１２，１４，１６をベース基材２により支持でき、前述したプロテクタ１０の密着作用及び変形抑制作用を向上させることができる。
【００４８】
なお、本発明は、前述した実施形態に限定されず、その要旨を逸脱しない範囲で種々変形して実施できる。例えば、前述した実施形態では、３つの保護材がベース基材に固着されるが、固着される保護材の数は特に限定されない。例えば、前述の実施形態においては、ベース基材の折り目を跨ぐように３つの保護材が一体化していてもよい（つまり、保護材が１つであってもよい）。また、ベース基材の折り目の数も特に限定されず、べース基材で画定されるストリップの数も任意である。また、前述した実施形態では、少なくとも釣竿が載置される第３の保護材上に、釣竿を安定して載置できるように切り欠き溝（切れ目）を設けてもよい。また、前述した実施形態では、プロテクタが直方体状に折り畳まれるが、プロテクタは、任意の多角形状（例えば、三角形、五角形など）に折り畳まれてもよく、また、筒状に丸められるように折り畳まれても構わない。また、コストを削減するために、前述した実施形態では、第１のストリップ２ａ（或いは、第１のストリップ２ａ及び第２ストリップ２ｂ）が省かれてもよい。
【符号の説明】
【００４９】
２  ベース基材
１０  釣竿プロテクタ
１２，１４，１６  保護材
５０  保持手段
Ｆ１，Ｆ２，Ｆ３，Ｆ４，Ｆ５  折り目
Ｓ  空間
【図１】
2017175981.tif 000003
【図２】
2017175981.tif 000004
【図３】
2017175981.tif 000005
【図４】
2017175981.tif 000006
【図５】
2017175981.tif 000007
【図６】
2017175981.tif 000008
【図７】
2017175981.tif 000009
【図８】
2017175981.tif 000010
【図９】
2017175981.tif 000011